(57)【要約】【課題】写真プリント費用を広告主が少なくても一部負担することができるとともに、撮影者乃至は観察者または観察者のグループが好むジャンルの広告の中から好きな広告を選択できるような広告付加装置を提供する。【解決手段】  撮影者乃至は観察者または観察者のグループが好きな広告のジャンルを指定し、それに基づく複数の広告が自動的に選択され、その中から撮影者乃至は観察者または観察者のグループが好きな広告を選択し、その広告を画像に付加する広告付加装置 【選択図】  図１
2008058842.tif 000002
【特許請求の範囲】
【請求項１】
撮影者によって撮影された写真を含む画像に広告を付加する広告付加装置で、撮影者乃至は観察者が広告分類情報を指定する指定手段と、該指定手段により指定された前記広告分類情報に基づいて自動的に選択された単数または複数の広告の中から、前記撮影者乃至は前記観察者により所望の広告を選択する選択手段と、前記選択手段により選択された広告を写真に付加する付加手段とを備えた広告付加装置。
【請求項２】
撮影者によって撮影された写真を含む画像に広告を付加する広告付加方法で、撮影者乃至は観察者が指定した広告分類情報を取得するステップと、該広告分類情報に基づいて自動的に選択された単数または複数の広告の中から、前記撮影者乃至は前記観察者により所望の広告を選択するステップと、前記指定された広告を前記画像に付加するステップと、を有する広告を画像に付加する広告付加方法。
【請求項３】
撮影者によって撮影された写真を含む画像に広告が付加される広告付き画像で、前記撮影者乃至は観察者が指定した広告分類情報と、前記広告分類情報により自動的に選択された単数または複数の広告情報と、前記複数の広告情報から前記撮影者乃至は観察者が前記複数の広告群から所望の広告を選択し、前記選択された広告が付加される広告付き画像。
【発明の詳細な説明】
【技術分野】
【０００１】
本発明は、写真を含む画像に広告を付加する装置及び撮影者乃至は写真を観察する観察者と広告主の双方に利する広告付加方法、広告付き画像に関し、特に広告主からの広告を大量に出回る写真を含む画像に付加し、更に、写真のプリント及び画像の処理に関する費用を広告主が少なくとも一部を負担するようにした広告付加装置、広告付加方法並びに広告付き画像に関する。
【背景技術】
【０００２】
従来、撮影者が撮影した画像を解析して画像情報を得、その画像情報に適切な広告を選択して写真に付加する方法について知られている（例えば特許文献１）。
また、撮影者がプリント依頼時にアンケート用紙に記載した撮影者情報に基づいて複数の広告を記憶するデータベースから適合する広告を選択し、写真プリントに付加し、広告主が写真プリントに関する費用を少なくとも一部負担する広告付写真プリントの製造方法は知られている（例えば特許文献２）。
【０００３】
【特許文献１】特開２００２−１５２２０
【特許文献２】特開２００４−１７７７２７
【発明の開示】
【発明が解決しようとする課題】
【０００４】
上述の特許文献１では、撮影者が撮影した画像を解析して画像情報を得るものである。この画像情報だけでは、正確な被写体の情報が得られるものでないし、技術的に大変困難な技術で、大掛かりな装置が必要となる。
特許文献２では、撮影者が写真を撮ってプリントを依頼する場合に依頼時にアンケート用紙に撮影者が記載した情報、例えば、撮影者の性別、年齢、家族構成、職種、地域、趣味に基づいて付加した広告である。その広告の内容に適した画像でないこともあり、また、写真は撮影者自身のための写真ではなく、例えばその写っている人に提供する場合もあるし、例えばかわいいネコの写真などネコ愛好家である人に送る場合もある。そのときに提供される側に立った広告でないと好ましい広告と言えずに広告をした割には広告主を喜ばすことなく、広告の効果が出ないので広告主を失望させる場合もあった。写真を撮った撮影者にとって気にいらない広告が付加されると失望し、写真自体を嫌いになる可能性もある。
【０００５】
本発明は、このような従来の構成が有していた問題を解決しようとするものであり、撮影者乃至は観察者も好む広告が写真に付加されるので撮影者乃至は観察者にとって広告主にプリント代を補助され、好都合な広告付加装置または広告付加方法を提供するものである。
【課題を解決するための手段】
【０００６】
本発明は、撮影者によって撮影された写真を含む画像に広告を付加する広告付加装置で、撮影者乃至は観察者が広告分類情報を指定する指定手段と、該指定手段により指定された前記広告分類情報に基づいて自動的に選択された単数または複数の広告の中から、前記撮影者乃至は前記観察者により所望の広告を選択する選択手段と、前記選択手段により選択された広告を写真に付加する付加手段とを備えた広告付加装置を提供することにある。
【０００７】
本発明は、撮影者によって撮影された写真を含む画像に広告を付加する広告付加方法で、撮影者乃至は観察者が指定した広告分類情報を取得するステップと、該広告分類情報に基づいて自動的に選択された単数または複数の広告の中から、前記撮影者乃至は前記観察者により所望の広告を選択するステップと、前記指定された広告を前記画像に付加するステップと、を有する広告を画像に付加する広告付加方法を提供することにある。
【０００８】
本発明は、撮影者によって撮影された写真を含む画像に広告が付加される広告付き画像で、前記撮影者乃至は観察者が指定した広告分類情報と、前記広告分類情報により自動的に選択された複数の広告情報と、前記複数の広告情報から前記撮影者乃至は観察者が前記複数の広告群から所望の広告を選択し、前記選択された広告が付加される広告付き画像を提供することにある。
【発明の効果】
【０００９】
上述したように本発明により撮影者乃至は観察者の広告分類情報に基づいて選択された複数の広告の中から撮影者乃至は観察者が自ら所望の広告を選択した広告を付加するので撮影者乃至は観察者にとって好みの広告が付加され、さらにプリント代を補助するメリットを撮影者並びに観察者は享受することができた。
【発明を実施するための最良の形態】
【００１０】
図１は、本発明の広告付加装置の概略構成を示す。１は広告コンテンツマッチングシステム装置、２は撮影者乃至は観察者が画像を入力し転送させるパーソナルコンピューターや携帯電話機等であるクライアント端末を示し、不図示のインターネット等のネットワークを介して広告コンテンツマッチングシステム装置１とクライアント端末２は接続されている。広告コンテンツマッチングシステム装置１は、３で示す画像サーバ、４で示す顧客管理サーバ、５で示す広告コンテンツサーバ、６で示すマッチングシステムで構成されている。７は画像サーバ３に保管された画像と広告コンテンツサーバ５に保管された広告とを合成する合成システムを示し、８は合成システム７で合成された広告付き画像をプリントするプリントシステムを示す。
【００１１】
画像サーバ３には画像を保管した９で示す画像データベースを備える。また、顧客管理サーバ４には１０で示す撮影者の個人の要望する広告ジャンルを示す撮影者要望データベースと、１１で示す撮影者が撮影した画像を観察する観察者の個人の要望する広告ジャンルを示す観察者要望データベースと、更に１２で示す観察者が団体である場合に観察者グループ要望の観察者グループ要望が要望する広告ジャンルを示す観察者グループ要望要望データベースを備える。また広告コンテンツサーバ５には、１３で示す広告のジャンルを記憶した広告ジャンルデータベースと１４で示す１つ又は複数の広告データを格納する広告コンテンツデータベースとを備え、広告コンテンツデータベース１４は広告ジャンルデータベース１３のジャンルによって分類されているが、広告コンテンツは１つ又は複数の広告ジャンルデータに対応している。広告マッチングサービスを管理するマッチングシステム６を中心として、撮影者乃至は観察者がネットワークを介して画像を格納する画像サーバ３内の画像データベース９及び、撮影者乃至は観察者の要望情報を登録する顧客管理サーバ４には撮影者要望データベース１０と、観察者要望データベース１１と、観察者がグループである場合の観察者グループ要望データベース１２に接続されており、広告コンテンツサーバ５からの要求に応じてマッチングすることができ、マッチングされたデータはネットワークによって合成システム７で画像と広告コンテンツが合成されたデータが、プリントシステム８へと伝達することができる。なお図１では、合成システム７の後にプリントシステム８が接続されているが、マッチング後に合成するのではなくプリント後に広告コンテンツを付加してもよい。例えば、インクジェットプリンターで画像をプリント後に、広告コンテンツをプリントされた画像に再プリントしてもよい。
【００１２】
広告コンテンツマッチングシステム１に接続するクライアント端末２は、パーソナルコンピューターやカメラ付き携帯電話等のインターネットに接続できる端末を指し、今後送信機能付きデジタルカメラや、デジタルＴＶ等のネットワーク接続が可能な端末を全て対象としている。
【００１３】
画像サーバ３とは、画像データベース９からなり、撮影者乃至は観察者並びにクライアント端末への入力を代行するユーザーのクライアント端末２から不図示のインターネット等のネットワークを介して受け取った画像データに対して画像データ処理を行い画像データベース９に格納される。または、画像データベース内に格納後に画像処理をしてもよい。
【００１４】
顧客管理サーバ４は、撮影者要望データベース１０、観察者要望データベース１１、観察グループデータベース１２から構成されている。撮影者乃至は観察者並びにクライアント端末への入力を代行するユーザーのクライアント端末２から画像データをインターネット等のネットワークを介して受け取る工程において前記撮影者乃至は観察者の要望項目を入力し保管する処理を撮影者要望データベース１０並びに観察者要望データベース１１が行う。また、観察者が一人以上の場合は、団体などの要望を入力させ保管を観察グループデータベース１２が行う。
【００１５】
マッチングシステム６を図２のフローチャートに基づいて説明する。前述したように画像サーバ３と顧客管理サーバ４と広告コンテンツサーバ５のデータをマッチングして適した広告を選択するものである。本発明は撮影者乃至は撮影者から写真をプレゼントされる観察者または観察者のグループにより広告を選択するものであるが、図２では撮影者に限定して説明する。
【００１６】
まず撮影者からクライアント端末２を介して画像をアップロードし、Ｓ１に示すように画像データベース９に画像を格納する。Ｓ２で示すように撮影者が、撮影した写真に「自動車」の広告が付加したいと思い、撮影者要望ＤＢに「自動車」と入力する。Ｓ３で示すようにそうすると数多くの広告をストアしているが、その見出しともいうべき広告ジャンルＤＢ、Ｓ３で示しているように、「自動車」が入力される。Ｓ４で示すように、数多くの広告がストアされている広告コンテンツＤＢから「自動車」のメーカーの広告、ここでは「Ａ社」「Ｂ社」「Ｃ社」の広告がリストアップされる。Ｓ５で示すように撮影者はその中から「Ａ社」の広告を選択する。次にＳ６で示しているように先にＳ１で画像データベースにストアされた画像と「Ａ社」の広告が合成され、Ｓ７で示しているようにプリントされる。
【００１７】
図３は、撮影者乃至は観察者が前記Ｓ２のステップで操作するディスプレイである。希望する広告企業名の場合は、入力フォームから企業名や商品名を入力させる。もしくは業種やジャンル等の場合はチェックボックスやプルダウン等の手段で選択させ、選択が完了したら「ＯＫ」ボタンを押下し次の画面に進む。次の画面は前記Ｓ４、Ｓ５のステップであり、ストアされた広告企業群が表示され、撮影者乃至は観察者はチェックボックスやプルダウン等の手段で広告を選択し、「ＯＫ」ボタンを押下し次の画面に進む。次の画面は前記Ｓ６のステップであり、撮影者乃至は観察者の写真と広告画像が合成させた画像を表示させる。この時、必ずしも広告画像は実際の画像ではなく、プリントイメージ図であってもよい。表示された画像でよければ「ＯＫ」ボタンを押下しプリントされる。
【００１８】
上述の例では撮影者が選択する場合を示したが、観察者または観察者のグループが広告を選択してもよい。また撮影者が観察者の好みそうな広告を選択してもよいことはいうまでもない。
【００１９】
また上述の例では撮影者乃至は観察者又は観察者のグループが好む広告分類情報として「自動車」を指定したが、ここで広告分類情報として企業名「Ｘ社」を指定し、そのＸ社の商品群の中から好む商品を指定してもよい。
【００２０】
また、指定した広告分類情報に適した広告がなければ、再度、広告分類情報を指定するようにしてもよいし、また指定した広告分類情報に近い単数又は複数の広告を自動的に指定してもよい。
【図面の簡単な説明】
【００２１】
【図１】本発明に係る広告付加装置の概略構成図を示す。
【図２】本発明に係るフローチャートを示す。
【図３】本発明に係るディスプレイを示す。
【符号の説明】
【００２２】
１ …広告コンテンツマッチングシステム装置
２ … クライアント端末
３ … 画像サーバ
４ … 顧客管理サーバ
５ … 広告コンテンツサーバ
６ … マッチングシステム
７ … 合成システム
８ … プリントシステム
９ … 画像データベース
１０ … 撮影者要望データベース
１１ … 観察者要望データベース
１２ … 観察者グループ要望データベース
１３ … 広告ジャンルデータベース
１４ … 広告コンテンツデータベー
【図１】
2008058842.tif 000003
【図２】
2008058842.tif 000004
【図３】
2008058842.tif 000005